(57)【要約】  【課題】相手に対して資料を見せながら電話で説明する場合における利便性を向上させることが可能な技術を提供する。  【解決手段】動作モードがマスタのＩＰ電話端末１は、通話相手である動作モードがスレーブのＩＰ電話端末１に、表示中の共有画面の表示データである共有画面データを送信する。一方、動作モードがスレーブのＩＰ電話端末１は、通話相手である動作モードがマスタのＩＰ電話端末１から共有画面データを受信して、共有画面を表示する。これにより、通話中のＩＰ電話端末１間で画面共有する。また、動作モードがマスタのＩＰ電話端末１は、予め自ＩＰ電話端末１に対応付けられている情報端末２から表示画面データを取得して共有画面に表示することにより、情報端末２の表示画面をこの情報端末２と共有する。以上により、この情報端末２の表示画面を、通話中のＩＰ電話端末１間でも共有する。【選択図】図１
2013214911.tif 000002
【特許請求の範囲】
【請求項１】
表示機能を備えた電話端末であって、
自電話端末および通話相手の電話端末のうちの一方がマスタとなり、他方がスレーブとなるように、自電話端末の動作モードを設定するモード設定手段と、
自電話端末の動作モードがマスタの場合に、自電話端末の表示画面データの更新ごとに、前記通話相手の電話端末に自電話端末の前記表示画面データを送信し、自電話端末の動作モードがスレーブの場合に、前記通話相手の電話端末から表示画面データを受信する電話端末画面共有手段と、
自電話端末の動作モードがマスタの場合に、所定の情報端末から表示画面データを受信する情報端末画面共有手段と、
自電話端末の動作モードがマスタの場合に、前記情報端末画面共有手段により前記所定の情報端末から受信した表示画面データを表示し、自電話端末の動作モードがスレーブの場合に、前記電話端末画面共有手段により前記通話相手の電話端末から受信した表示画面データを表示する表示制御手段と、を有する
ことを特徴とする電話端末。
【請求項２】
請求項１に記載の電話端末であって、
操作者より受け付けた操作内容に従い所定の処理を実行して、その処理結果を示す処理結果表示データを生成する情報処理手段をさらに有し、
前記表示制御手段は、
自電話端末の動作モードがマスタの場合に、前記情報端末画面共有手段により前記所定の情報端末から受信した表示画面データに、前記情報処理手段により生成された処理結果表示データを合成して表示する
ことを特徴とする電話端末。
【請求項３】
請求項２に記載の電話端末であって、
前記電話端末画面共有手段は、
自電話端末がスレーブの場合に、前記情報処理手段により生成された処理結果表示データを、前記通話相手の電話端末に送信し、
前記表示制御手段は、
自電話端末の動作モードがマスタの場合に、前記情報端末画面共有手段により前記所定の情報端末から受信した表示画面データに、前記端末画面共有手段により前通話相手の電話端末から受信した処理結果表示データを合成して表示する
ことを特徴とする電話端末。
【請求項４】
請求項１ないし３のいずれか一項に記載の電話端末であって、
前記表示制御手段は、
自電話端末の動作モードがスレーブの場合に、前記通話相手の電話端末との通話が終了したならば、前記電話端末画面共有手段により前記通話相手の電話端末から受信した表示画面データを消去する
ことを特徴とする電話端末。
【請求項５】
表示機能を備えた電話端末間における画面共有方法であって、
第一の電話端末が、自電話端末の表示画面データの更新ごとに、通話相手である第二の電話端末に、自電話端末の前記表示画面データを送信し、第二の電話端末が、前記第一の電話端末から前記表示画面データを受信して表示するとともに、前記第一の電話端末が、所定の情報端末から表示画面データを取得して表示することにより、前記所定の情報端末の表示画面を、前記第一および第二の電話端末間で共有する
ことを特徴とする画面共有方法。
【発明の詳細な説明】
【技術分野】
【０００１】
本発明は、表示機能を備えた電話端末に関し、特に、自電話端末の表示画面を通話中の相手端末と共有する技術に関する。
【背景技術】
【０００２】
特許文献１には、テレビ電話中に相手端末とメニュー画面共有化を図ることが可能な携帯端末が開示されている。この携帯端末は、相手端末とのテレビ電話中に所定の操作が行われると、相手端末に自携帯端末のメニュー画面を送信して、自携帯端末のメニュー画面を相手端末に表示させる。
【先行技術文献】
【特許文献】
【０００３】
【特許文献１】特開２００８−１０３８２８号公報
【発明の概要】
【発明が解決しようとする課題】
【０００４】
電話会議等において、相手に資料を見せながら電話で説明したい場合がある。資料が電子ファイルとしてＰＣ等の情報端末に保存されており、かつ相手の手元にもＰＣ等の情報端末があるならば、Ｗｅｂ会議ソフト等のデスクトップ共有機能を有するアプリケーションソフトウェアを使って、この電子ファイルの表示画面を自身および相手の情報端末間で共有させることにより、相手に対して資料を見せながらの電話での説明を実現することができる。しかし、相手の手元に電話端末しかなくて、情報端末をすぐに準備できない場合もあり、このような場合に対応できない。なお、書面により相手に資料を事前配布しておくことも考えられるが、説明のときだけ資料を見せたいような、機密性の高い資料の場合には、説明後に資料を回収する手間が生じ、煩雑である。
【０００５】
本発明は上記事情に鑑みてなされたものであり、その目的は、相手に対して資料を見せながら電話で説明する場合における利便性を向上させることが可能な技術を提供することにある。
【課題を解決するための手段】
【０００６】
上記課題を解決するために、本発明では、表示機能を備えた電話端末を用いる。電話端末は、自電話端末の表示画面データの更新ごとに、通話相手の電話端末に自電話端末の表示画面データを送信し、自電話端末の表示画面を通話相手の電話端末に表示させることにより、自電話端末の表示画面を相手端末と共有する。また、電話端末は、所定の情報端末から表示画面データを取得し表示することにより、所定の情報端末の表示画面をこの情報端末と共有する。以上により、所定の情報端末の表示画面を、自電話端末および通話相手の電話端末間で共有する。
【０００７】
例えば、本発明は、表示機能を備えた電話端末であって、
自電話端末および通話相手の電話端末のうちの一方がマスタとなり、他方がスレーブとなるように、自電話端末の動作モードを設定するモード設定手段と、
自電話端末の動作モードがマスタの場合に、自電話端末の表示画面データの更新ごとに、前記通話相手の電話端末に自電話端末の前記表示画面データを送信し、自電話端末の動作モードがスレーブの場合に、前記通話相手の電話端末から表示画面データを受信する電話端末画面共有手段と、
自電話端末の動作モードがマスタの場合に、所定の情報端末から表示画面データを受信する情報端末画面共有手段と、
自電話端末の動作モードがマスタの場合に、前記情報端末画面共有手段により前記所定の情報端末から受信した表示画面データを表示し、自電話端末の動作モードがスレーブの場合に、前記電話端末画面共有手段により前記通話相手の電話端末から受信した表示画面データを表示する表示制御手段と、を有する。
【発明の効果】
【０００８】
本発明によれば、通話中の電話端末間において情報端末の表示画面を共有することができるので、情報端末に資料を表示させることにより、相手に対して資料を見せながら電話で説明する場合における利便性を向上させることが可能となる。
【図面の簡単な説明】
【０００９】
【図１】図１は、本発明の一実施の形態に係るＩＰ電話システムの概略構成図である。
【図２】図２は、本発明の一実施の形態に係るＩＰ電話システムの動作例を説明するためのシーケンス図である。
【図３】図３（Ａ）〜（Ｄ）は、ＩＰ電話端末１の共有画面の変遷例を説明するための図である。
【図４】図４は、ＩＰ電話端末１の概略機能構成図である。
【図５】図５は、動作モードがマスタに設定される場合におけるＩＰ電話端末１の動作を説明するためのフロー図である。
【図６】図６は、動作モードがスレーブに設定される場合におけるＩＰ電話端末１の動作を説明するためのフロー図である。
【発明を実施するための形態】
【００１０】
以下に、本発明の一実施の形態について説明する。
【００１１】
図１は、本実施の形態に係るＩＰ電話システムの概略構成図である。
【００１２】
図示するように、本実施の形態に係るＩＰ電話システムは、少なくとも２台のＩＰ電話端末１−１、１−２（以下、単にＩＰ電話端末１とも呼ぶ）と、複数の情報端末２−１〜２−ｎ（以下、単に情報端末２とも呼ぶ）と、ＳＩＰサーバ３と、を備えて構成される。ここで、ＩＰ電話端末１−１、情報端末２−１〜２−ｎ、およびＳＩＰサーバ３は、ＬＡＮ５に接続されており、ＬＡＮ５は、ルータ４を介してＷＡＮ６に接続されている。また、ＩＰ電話端末１−２は、ＷＡＮ６に接続されている。
【００１３】
ＳＩＰサーバ３は、ＳＩＰ（Ｓｅｓｓｉｏｎ  Ｉｎｉｔｉａｔｉｏｎ  Ｐｒｏｔｏｃｏｌ）に従いＩＰ電話端末１−１、１−２と連携して呼制御処理を実行し、ＩＰ電話端末１−１、１−２間にセッション（通話路）を確立する。
【００１４】
情報端末２は、例えばパーソナルコンピュータであり、自身のＩＰアドレスをＩＰ電話端末１に通知する機能、および自身のディスプレイに表示中の画面（表示画面）をＩＰ電話端末１と共有する機能（例えばＯＳのデスクトップ共有機能）を備えている。
【００１５】
また、ＩＰ電話端末１は、通話相手のＩＰ電話端末１と表示画面を共有する機能、および情報端末２の表示画面を情報端末２と共有する機能を備えている。そして、通話中のＩＰ電話端末１のいずれか一方がマスタとなり、他方がスレーブとなって、マスタのＩＰ電話端末１が所定の情報端末２から表示中の画面（表示画面）の表示データ（表示画面データ）を取得して表示するとともに、自ＩＰ電話端末１の表示画面データをスレーブのＩＰ電話端末１に送信し、スレーブのＩＰ電話端末１がマスタのＩＰ電話端末１から受信した表示画面データを表示する。これにより、通話中、所定の情報端末２の表示画面データをＩＰ電話端末１−１、１−２間で共有する。
【００１６】
図２は、本実施の形態に係るＩＰ電話システムの動作例を説明するためのシーケンス図である。また、図３（Ａ）〜（Ｄ）は、ＩＰ電話端末１の共有画面の変遷例を説明するための図である。なお、図２では、ＩＰ電話端末１−１がマスタとなり、ＩＰ電話端末１−２がスレーブとなる場合を想定している。
【００１７】
ＩＰ電話端末１−１は、ＩＰ電話端末１−２との通話中において（Ｓ１００）、情報端末２の画面をＩＰ電話端末１−１、１−２間で共有するための共有操作を操作者から受け付けると（Ｓ１０１）、自ＩＰ電話端末１−１の動作モードをマスタに設定するとともに（Ｓ１０２）、自ＩＰ電話端末１−１がマスタに設定されたことを知らせるためのマスタ通知を通話相手のＩＰ電話端末１−２に送信する（Ｓ１０３）。これを受けて、ＩＰ電話端末１−２は、自ＩＰ電話端末１−２の動作モードをスレーブに設定する（Ｓ１０４）。
【００１８】
つぎに、ＩＰ電話端末１−１は、ＩＰ電話端末１−２と共有する共有画面（初期画面）を表示するとともに（Ｓ１０５）、その共有画面の表示データ（共有画面データ）を通話相手のＩＰ電話端末１−２に送信する（Ｓ１０６）。これを受けて、ＩＰ電話端末１−２は、共有画面データに従い共有画面（初期画面）を表示して、ＩＰ電話端末１−１と画面共有する（Ｓ１０７）。この時点での共有画面は、共有すべき情報が含まないので、例えば、図３（Ａ）に示す初期画面７０のように白色等の単一色の背景画面となる。
【００１９】
つぎに、ＩＰ電話端末１−１は、自ＩＰ電話端末１−１に対応付けられた情報端末２の端末ＩＤの指定を伴う端末問合せをマルチキャスト送信する（Ｓ１０８）。これを受けて、この端末ＩＤが付与された情報端末２は、自情報端末２のＩＰアドレスの指定を伴うアドレス通知を、端末問合せの送信元であるＩＰ電話端末１−１に返信する（Ｓ１０９）。ここでは、情報端末２−１がアドレス通知を返信したものとする。
【００２０】
つぎに、ＩＰ電話端末１−１は、アドレス通知で指定されたＩＰアドレスを用いて、情報端末２−１に画面データ要求を送信する（Ｓ１１０）。これを受けて、情報端末２−１は、表示画面データをＩＰ電話端末１−１に送信する（Ｓ１１１）。ここで、情報端末２−１は、操作者の指示に従い、プレゼンテーション資料の電子ファイルの内容を全画面表示しているものとする。
【００２１】
つぎに、ＩＰ電話端末１−１は、表示中の共有画面の共有画面データに、情報端末２−１から受信した表示画面データを合成して、共有画面データを更新するとともに、更新された共有画面データに従い、情報端末２−１の表示画面が合成された共有画面（情報端末画面合成画面）を表示する（Ｓ１１２）。また、この更新された共有画面データを通話相手のＩＰ電話端末１−２に送信する（Ｓ１１３）。これを受けて、ＩＰ電話端末１−２は、共有画面データに従い共有画面（情報端末画面合成画面）を表示して、ＩＰ電話端末１−１と画面共有する（Ｓ１１４）。この時点での共有画面には、例えば、図３（Ｂ）に示す情報端末画面合成画面７１のように、情報端末２−１の表示画面で表示中のプレゼンテーション資料の電子ファイルの内容７２が表示されている。
【００２２】
つぎに、ＩＰ電話端末１−１が、操作者から、表示中の共有画面に対する書込み操作を受け付けたとする（Ｓ１１５）。ＩＰ電話端末１−１は、操作者から受け付けた書込み操作に従い書込みデータを生成して（Ｓ１１６）、この書込みデータを表示中の共有画面の共有画面データに合成して共有画面データを更新する。そして、この更新された共有画面データに従い、操作者によるメモ、図形等の書込みが合成された共有画面（マスタ書込み合成画面）を表示するとともに（Ｓ１１７）、この更新された共有画面データを通話相手のＩＰ電話端末１−２に送信する（Ｓ１１８）。これを受けて、ＩＰ電話端末１−２は、共有画面データに従い共有画面（マスタ書込み合成画面）を表示して、ＩＰ電話端末１−１と画面共有する（Ｓ１１９）。この時点での共有画面には、例えば、図３（Ｃ）に示すマスタ書込み合成画面７３のように、情報端末２−１の表示画面に表示中のプレゼンテーション資料の電子ファイルの内容７２に、ＩＰ電話端末１−１の操作者の書込み７４が重畳されたものが表示されている。
【００２３】
つぎに、ＩＰ電話端末１−２が、操作者から、表示中の共有画面に対する書込み操作を受け付けたとする（Ｓ１２０）。ＩＰ電話端末１−２は、操作者から受け付けた書込み操作に従い書込みデータを生成し（Ｓ１２１）、この書込みデータを通話相手のＩＰ電話端末１−１に送信する（Ｓ１２２）。
【００２４】
これを受けて、ＩＰ電話端末１−１は、表示中の共有画面の共有画面データにこの書込みデータを合成して、共有画面データを更新する。そして、この更新された共有画面データに従い、ＩＰ電話端末１−２の操作者の書込みが合成された共有画面（スレーブ書込み合成画面）を表示するとともに（Ｓ１２３）、この更新された共有画面データを通話相手のＩＰ電話端末１−２に送信する（Ｓ１２４）。これを受けて、ＩＰ電話端末１−２は、共有画面データに従い共有画面（スレーブ書込み合成画面）を表示して、ＩＰ電話端末１−１と画面共有する（Ｓ１２５）。この時点での共有画面には、例えば、図３（Ｄ）に示すスレーブ書込み合成画面７５のように、情報端末２−１の表示画面に表示中のプレゼンテーション資料の電子ファイルの内容７２に、ＩＰ電話端末１−１の操作者の書込み７４およびＩＰ電話端末１−２の操作者の書込み７６が重畳されたものが表示されている。
【００２５】
つぎに、ＩＰ電話端末１−１、１−２間の通話が終了し、両者間のセッションが切断されると（Ｓ１２６）、ＩＰ電話端末１−１、１−２は、動作モード（マスタ、スレーブ）の設定を解除するとともに、共有画面の表示を終了して、その共有画面データを消去する（Ｓ１２７、Ｓ１２８）。
【００２６】
つぎに、本実施の形態に係るＩＰ電話システムに用いられるＩＰ電話端末１の詳細を説明する。なお、情報端末２およびＳＩＰサーバ３には既存のものを用いることができるので、これらの装置２、３の詳細な説明は省略する。
【００２７】
図４は、ＩＰ電話端末１の概略機能構成図である。
【００２８】
図示するように、ＩＰ電話端末１は、通信インターフェース部１０１と、マイクおよびスピーカを備えたハンドセット１０２と、液晶パネルの表示装置およびタッチセンサの位置入力装置を組み合わせたタッチセンサ付きディスプレイ１０３と、ＩＰ電話処理部１０４と、モード設定部１０５と、電話端末画面共有部１０６と、情報端末ＩＤ記憶部１０７と、情報端末画面共有部１０８と、メモ書き処理部１０９と、共有画面データ記憶部１１０と、表示制御部１１１と、を備えている。
【００２９】
通信インターフェース部１０１は、ＬＡＮ５を介して、通話相手のＩＰ電話端末１、情報端末２、およびＳＩＰサーバ３と通信するためのインターフェースである。
【００３０】
ＩＰ電話処理部１０４は、ＩＰ電話に必要な処理を実施する。ＳＩＰに従いＳＩＰサーバ３と連携して、通話相手のＩＰ電話端末１とのセッションを確立し、ＲＴＰ（Ｒｅａｌ−ｔｉｍｅ  Ｔｒａｎｓｐｏｒｔ  Ｐｒｏｔｏｃｏｌ）に従い、このセッションを介して通話相手のＩＰ電話端末１との間で通話データを送受信する。具体的には、セッションを介して通話相手のＩＰ電話端末１から受信した通話データを音声信号に変換してハンドセット１０２のスピーカから出力するとともに、ハンドセット１０２のマイクに入力された音声信号を通話データに変換し、セッションを介して通話相手のＩＰ電話端末１にこの通話データを送信する。
【００３１】
モード設定部１０５は、自ＩＰ電話端末１の動作モードをマスタおよびスレーブのいずれか一方に設定する。具体的には、通話中に、操作者から、タッチセンサ付きディスプレイ１０３を介して共有操作を受け付けた場合に、自ＩＰ電話端末１の動作モードをマスタに設定するとともに、通信インターフェース部１０１を介して通話相手のＩＰ電話端末１にマスタ通知を送信する。また、通話中に、通話相手のＩＰ電話端末１から、通信インターフェース部１０１を介してマスタ通知を受信した場合に、自ＩＰ電話端末１の動作モードをスレーブに設定する。通話相手のＩＰ電話端末１との通話が終了した場合には、自ＩＰ電話端末１に設定されている動作モードを解除する。
【００３２】
電話端末画面共有部１０６は、自ＩＰ電話端末１の動作モードがマスタの場合に、自ＩＰ電話端末１のタッチセンサ付きディスプレイ１０３で表示中の共有画面の共有画面データを表示制御部１１１から取得して、この共有画面データを、通信インターフェース部１０１を介して通話相手のＩＰ電話端末１に送信する。また、電話端末画面共有部１０６は、自ＩＰ電話端末１の動作モードがスレーブの場合に、通信インターフェース部１０１を介して通話相手のＩＰ電話端末１から共有画面データを受信して、この共有画面データを表示制御部１１１に渡す。
【００３３】
情報端末ＩＤ記憶部１０７は、自ＩＰ電話端末１に対応付けられている情報端末２の端末ＩＤを記憶している。
【００３４】
情報端末画面共有部１０８は、自ＩＰ電話端末１の動作モードがマスタの場合に、情報端末ＩＤ記憶部１０７に記憶された端末ＩＤにより特定される情報端末２から表示画面データを取得し、この表示画面データを表示制御部１１１に渡す。
【００３５】
メモ書き処理部１０９は、表示制御部１１１によってタッチセンサ付きディスプレイ１０３に共有画面が表示されている場合に、このタッチセンサ付きディスプレイ１０３を介して操作者より受け付けた書込み操作に従い、この表示中の共有画面の共有画面データに対する書込みデータを生成する。そして、自ＩＰ電話端末１の動作モードがマスタならば、この書込みデータを表示制御部１１１に渡し、自ＩＰ電話端末１の動作モードがスレーブならば、この書込みデータを、通信インターフェース部１０１を介して通話相手のＩＰ電話端末１に送信する。また、メモ書き処理部１０９は、自ＩＰ電話端末１の動作モードがマスタの場合に、通信インターフェース部１０１を介して通話相手のＩＰ電話端末１から受信した書込みデータを表示制御部１１１に渡す。
【００３６】
共有画面データ記憶部１１０には、タッチセンサ付きディスプレイ１０３に表示する共有画面の共有画面データが記憶される。
【００３７】
表示制御部１１１は、タッチセンサ付きディスプレイ１０３の表示を制御する。そして、自ＩＰ電話端末１に動作モード（マスタあるいはスレーブ）が設定されている場合に、共有画面データ記憶部１１０に記憶されている共有画面データに従い、タッチセンサ付きディスプレイ１０３に共有画面を表示する。具体的には、自ＩＰ電話端末１の動作モードがマスタの場合に、共有画面データ記憶部１１０に記憶されている表示中の共有画面データ（情報端末画面共有部１０８より受け取った表示画面データが合成された情報端末画面合成画面）に、メモ書き処理部１０９より受け取った書込みデータを合成して、新たな共有画面データを生成し、この共有画面データで共有画面データ記憶部１１０を更新する。そして、共有画面データ記憶部１１０に記憶されている更新後の共有画面データに従い、タッチセンサ付きディスプレイ１０３に共有画面を表示するとともに、この更新後の共有画面データを電話端末画面共有部１０６に渡す。また、自ＩＰ電話端末１の動作モードがスレーブの場合に、電話端末画面共有部１０６より受け取った共有画面データを共有画面データ記憶部１１０に記憶するとともに、この共有画面データに従い、タッチセンサ付きディスプレイ１０３に共有画面を表示する。
【００３８】
図５は、動作モードがマスタに設定される場合におけるＩＰ電話端末１の動作を説明するためのフロー図である。このフローは、通話相手のＩＰ電話端末１との通話中（セッション確立中）に、モード設定部１０５が、操作者から、タッチセンサ付きディスプレイ１０３を介して共有操作を受け付けることにより開始される。
【００３９】
まず、モード設定部１０５は、自ＩＰ電話端末１の動作モードをマスタに設定するとともに（Ｓ２０１）、自ＩＰ電話端末１がマスタに設定されたことを知らせるためのマスタ通知を、通信インターフェース部１０１を介して通話相手のＩＰ電話端末１に送信する（Ｓ２０２）。
【００４０】
つぎに、表示制御部１１１は、共有画面データ記憶部１１０に、通話相手のＩＰ電話端末１と共有する共有画面（初期画面）７０の共有画面データを記憶する。また、この共有画面データに基づいて、タッチセンサ付きディスプレイ１０３に共有画面（初期画面）７０を表示する（Ｓ２０３）。さらに、この共有画面データを電話端末画面共有部１０６に渡す。これを受けて、電話端末画面共有部１０６は、通信インターフェース部１０１を介して通話相手のＩＰ電話端末１に、この共有画面データを送信する（Ｓ２０４）。
【００４１】
つぎに、情報端末画面共有部１０８は、通信インターフェース部１０１を介して、情報端末ＩＤ記憶部１０７に記憶された端末ＩＤの指定を伴う端末問合せをマルチキャスト送信し（Ｓ２０５）、この端末ＩＤが付与された情報端末２から、この情報端末２のＩＰアドレスの指定を伴うアドレス通知を受信する（Ｓ２０６）。
【００４２】
つぎに、情報端末画面共有部１０８は、通信インターフェース部１０１を介して、アドレス通知で指定されたＩＰアドレスにより特定される情報端末２に、画面データ要求を送信する（Ｓ２０７）。そして、この情報端末２から表示画面データを受信し、この表示画面データを表示制御部１１１に渡す（Ｓ２０８）。
【００４３】
これを受けて、表示制御部１１１は、共有画面データ記憶部１１０に記憶されている表示中の共有画面データに、情報端末２から受信した表示画面データを合成して、共有画面データ記憶部１１０に記憶されている共有画面データを更新する。また、この更新後の共有画面データに基づいて、表示中の共有画面に情報端末２の表示画面の内容（例えば、プレゼンテーション資料の電子ファイルの内容等）７２が重畳された共有画面（情報端末画面合成画面）７１を、タッチセンサ付きディスプレイ１０３に表示する（Ｓ２０９）。さらに、この更新後の共有画面データを電話端末画面共有部１０６に渡す。これを受けて、電話端末画面共有部１０６は、通信インターフェース部１０１を介して通話相手のＩＰ電話端末１に、この更新後の共有画面データを送信する（Ｓ２１０）。
【００４４】
つぎに、通話相手のＩＰ電話端末１との通話が終了するまでの間（Ｓ２１８でＮｏ）、メモ書き処理部１０９は、タッチセンサ付きディスプレイ１０３を介して、表示中の共有画面に対する書込み操作を受け付けると（Ｓ２１１でＹＥＳ）、この書込み操作に従い書込みデータを生成し、この書込みデータを表示制御部１１１に渡す（Ｓ２１２）。
【００４５】
これを受けて、表示制御部１１１は、共有画面データ記憶部１１０に記憶されている表示中の共有画面データに書込みデータを合成して、共有画面データ記憶部１１０に記憶されている共有画面データを更新する。また、この更新後の共有画面データに基づいて、それまでに表示していた共有画面に自ＩＰ電話端末１の操作者の書込み７４が重畳された共有画面（マスタ書込み合成画面）７３を、タッチセンサ付きディスプレイ１０３に新たに表示する（Ｓ２１３）。さらに、この更新後の共有画面データを電話端末画面共有部１０６に渡す。これを受けて、電話端末画面共有部１０６は、通信インターフェース部１０１を介して通話相手のＩＰ電話端末１に、この更新後の共有画面データを送信する（Ｓ２１４）。
【００４６】
また、メモ書き処理部１０９は、通信インターフェース部１０１を介して通話相手のＩＰ電話端末１から書込みデータを受信すると（Ｓ２１５でＹＥＳ）、この書込みデータを表示制御部１１１に渡す。
【００４７】
これを受けて、表示制御部１１１は、共有画面データ記憶部１１０に記憶されている表示中の共有画面データに書込みデータを合成して、共有画面データ記憶部１１０に記憶されている共有画面データを更新する。共有画面上に、通話相手のＩＰ電話端末１の操作者の書込み７６を、自ＩＰ電話端末１の操作者の書込み７４とは異なる表示形態（色、書体等）で合成してもよい。また、この更新後の共有画面データに基づいて、表示中の共有画面に通話相手のＩＰ電話端末１の操作者の書込み７６が重畳された共有画面（スレーブ書込み合成画面）７５を、タッチセンサ付きディスプレイ１０３に表示する（Ｓ２１６）。さらに、この更新後の共有画面データを電話端末画面共有部１０６に渡す。これを受けて、電話端末画面共有部１０６は、通信インターフェース部１０１を介して通話相手のＩＰ電話端末１に、この共有画面データを送信する（Ｓ２１７）。
【００４８】
さて、通話が終了しセッションが切断されると（Ｓ２１８でＹＥＳ）、モード設定部１０５は、自ＩＰ電話端末１に設定されている動作モード（マスタ）を解除する。これを受けて、表示制御部１１１は、タッチセンサ付きディスプレイ１０３への共有画面の表示を停止するとともに、共有画面データ記憶部１１０に記憶されている共有画面データを消去する（Ｓ２１９）。これにより、このフローが終了する。
【００４９】
図６は、動作モードがスレーブに設定される場合におけるＩＰ電話端末１の動作を説明するためのフロー図である。このフローは、通話中（セッション確立中）に、モード設定部１０５が、通話相手のＩＰ電話端末１からのマスタ通知を受信することにより開始される。
【００５０】
まず、モード設定部１０５は、自ＩＰ電話端末１の動作モードをスレーブに設定する（Ｓ３０１）。
【００５１】
つぎに、通話相手のＩＰ電話端末１との通話が終了するまでの間（Ｓ３０８でＮｏ）、電話端末画面共有部１０６は、通信インターフェース部１０１を介して通話相手のＩＰ電話端末１から共有画面データを受信すると（Ｓ３０２でＹＥＳ）、この共有画面データを表示制御部１１１に渡す。これを受けて、表示制御部１１１は、この共有画面データを共有画面データ記憶部１１０に記憶する。共有画面データ記憶部１１０に共有画面データがすでに記憶されている場合は、この共有画面データを、通話相手のＩＰ電話端末１から受信した共有画面データに更新する（Ｓ３０３）。また、表示制御部１１１は、共有画面データ記憶部１１０に記憶されている共有画面データに基づいて、タッチセンサ付きディスプレイ１０３に共有画面を表示する（Ｓ３０４）。これにより、通話相手のＩＰ電話端末１と画面共有する。
【００５２】
メモ書き処理部１０９は、タッチセンサ付きディスプレイ１０３を介して、表示中の共有画面に対する書込み操作を受け付けると（Ｓ３０５でＹＥＳ）、この書込み操作に従って書込みデータを生成する（Ｓ３０６）。そして、通信インターフェース部１０１を介して通話相手のＩＰ電話端末１に、この書込みデータを送信する（Ｓ３０７）。
【００５３】
さて、通話相手のＩＰ電話端末１との通話が終了し、セッションが切断されると（Ｓ３０８でＹＥＳ）、モード設定部１０５は、自ＩＰ電話端末１に設定されている動作モード（スレーブ）を解除する。これを受けて、表示制御部１１１は、タッチセンサ付きディスプレイ１０３への共有画面の表示を停止するとともに、共有画面データ記憶部１１０に記憶されている共有画面データを消去する（Ｓ３０９）。これにより、このフローが終了する。
【００５４】
以上、本実施の形態について説明した。
【００５５】
本実施の形態では、通話中のＩＰ電話端末１間において、一方のＩＰ電話端末１の動作モードがマスタとなり、他方のＩＰ電話端末１の動作モードがスレーブとなって、両者１間で情報端末２の表示画面を共有する。すなわち、動作モードがマスタのＩＰ電話端末１は、表示中の共有画面の共有画面データを、動作モードがスレーブに設定された通話相手のＩＰ電話端末１に送信する。一方、動作モードがスレーブのＩＰ電話端末１は、動作モードがマスタに設定された通話相手のＩＰ電話端末１から共有画面データを受信して、共有画面を表示する。これにより、通話中のＩＰ電話端末１間で画面共有される。また、動作モードがマスタのＩＰ電話端末１は、予め自ＩＰ電話端末１に対応付けられた情報端末２から表示画面データを取得して、表示画面を共有画面として表示することにより、この情報端末２と情報端末２の表示画面を共有する。以上により、この情報端末２の表示画面が、通話中のＩＰ電話端末１間で共有される。このように、本実施の形態によれば、通話中のＩＰ電話端末１間において情報端末２の表示画面を共有することができるので、情報端末２に資料を表示させることにより、相手に、資料を見せながら電話で説明する場合における利便性を向上させることが可能となる。
【００５６】
また、本実施の形態において、ＩＰ電話端末１は、タッチセンサ付きディスプレイ１０３を介して操作者より受け付けた書込み操作に従い書込みデータを生成する。
【００５７】
自ＩＰ電話端末１の動作モードがマスタの場合に、生成した書込みデータに従って表示中の共有画面に書込みを合成する。このため、動作モードがマスタのＩＰ電話端末１の操作者が共有画面に対して行った書込みを通話中のＩＰ電話端末１間で共有することができるので、動作モードがマスタのＩＰ電話端末１の操作者は、相手に対して資料を見せつつ、この資料に書込みをしながら電話で説明することが可能となり、利便性がさらに向上する。
【００５８】
一方、自ＩＰ電話端末１の動作モードがスレーブの場合に、生成した書込みデータを、通話相手である動作モードがマスタのＩＰ電話端末１に送信する。これを受けて、動作モードがマスタのＩＰ電話端末１は、この書込みデータに従って、表示中の共有画面に書込みを合成する。このため、動作モードがスレーブのＩＰ電話端末１の操作者が共有画面に対して行った書込みを通話中のＩＰ電話端末１間で共有することができるので、動作モードがマスタのＩＰ電話端末１の操作者は、相手に対して資料に書込みをさせながら、電話で質問等を受けることが可能となり、利便性がさらに向上する。
【００５９】
また、本実施の形態において、ＩＰ電話端末１は、少なくとも自ＩＰ電話端末１の動作モードがスレーブの場合、通話相手のＩＰ電話端末１との通話が終了したならば、共有画面の表示を停止するとともに、共有画面データ記憶部１１０に記憶されている共有画面データを消去する。これにより、動作モードがマスタのＩＰ電話端末１の操作者は、電話の間だけ通話相手に資料を見せることができ、したがって、電話の後に資料を回収する必要がなくなるので、機密性の高い資料の取扱いが容易になる。
【００６０】
なお、本発明は上記の実施の形態に限定されるものではなく、その要旨の範囲内で数々の変形が可能である。
【００６１】
例えば、上記の実施の形態において、ＩＰ電話端末１に対応付けられている情報端末２のＩＰアドレスが固定されている場合、そのＩＰアドレスを情報端末ＩＤ記憶部１０７に記憶しておくようにしてもよい。この場合、自ＩＰ電話端末１の動作モードがマスタの場合における、自ＩＰ電話端末１に対応付けられている情報端末２の探索（図５のＳ２０５、Ｓ２０６）は不要となる。
【００６２】
また、上記の実施の形態において、表示中の共有画面（情報端末２の表示画面）に互いの操作者の書込みを重畳することにより、通話中のＩＰ電話端末１間で互いの操作者の書込みを共有している。しかし、本発明はこれに限定されない。例えば、共有画面を２画面構成とし、一方の画面に情報端末２の表示画面を表示し、他方の画面に互いの操作者の書込みを表示するようにしてもよい。
【００６３】
また、上記の実施の形態では、通話中のＩＰ電話端末１間で互いの操作者の書込みを共有しているが、本発明はこれに限定されない。操作者より受け付けた操作内容に従い所定の処理を実行して、その処理結果を示す処理結果表示データを生成し、この処理結果表示データを共有画面データに合成することにより、通話中のＩＰ電話端末１間で処理結果を共有するものであればよい。
【００６４】
また、上記の実施の形態では、ＩＰ電話端末１の入力装置としてタッチセンサ付きディスプレイ１０３を用いているが、本発明はこれに限定されない。例えば、キーボード、マウス等の入力装置をＩＰ電話端末１の入力装置として用いてもよい。
【００６５】
また、上記の実施の形態において、図４に示すＩＰ電話端末１の機能構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、およびＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実現されるものでもよいし、あるいは、ＤＳＰ（Ｄｉｇｉｔａｌ  Ｓｉｇｎａｌ  Ｐｒｏｃｅｓｓｏｒ）などの計算機によりソフトウェア的に実現されるものでもよい。もしくは、ＣＰＵ、メモリ、ＨＤＤ、ＤＶＤ−ＲＯＭ等の補助記憶装置、およびＮＩＣ（Ｎｅｔｗｏｒｋ  Ｉｎｔｅｒｆａｃｅ  Ｃａｒｄ）、モデム等の通信インターフェースを備えたＰＣ（Ｐｅｒｓｏｎａｌ  Ｃｏｍｐｕｔｅｒ）等の汎用コンピュータにおいて、ＣＰＵが所定のプログラムを補助記憶装置からメモリ上にロードして実行することで実現されるものでもよい。
【００６６】
また、本発明はＩＰ電話端末に限定されず、様々な電話端末に利用可能である。
【符号の説明】
【００６７】
１、１−１、１−２：ＩＰ電話端末、  ２−１〜２−ｎ：情報端末、  ３：ＳＩＰサーバ、  ４：ルータ、  ５：ＬＡＮ、  ６：ＷＡＮ、  １０１：通信インターフェース部、  １０２：ハンドセット、  １０３：タッチセンサ付きディスプレイ、  １０４：ＩＰ電話処理部、  １０５：モード設定部、  １０６：電話端末画面共有部、  １０７：情報端末ＩＤ記憶部、  １０８：情報端末画面共有部、  １０９：メモ書き処理部、  １１０：共有画面データ記憶部、  １１１：表示制御部
【図１】
2013214911.tif 000003
【図２】
2013214911.tif 000004
【図３】
2013214911.tif 000005
【図４】
2013214911.tif 000006
【図５】
2013214911.tif 000007
【図６】
2013214911.tif 000008